(57)【要約】【課題】  目への負担を増加させることなく、文字等を読みやすくすることができる照明装置を提供する。【解決手段】  照明装置は、照明１０と、ユーザが視認する対象部分における光の波長ごとの反射率を計測する反射率計測手段２と、反射率計測手段２により計測された反射率に基づいて、対象部分の反射率を小さくするよう照明１０から照射される光を調光する調光手段３とを備えることを特徴とする。【選択図】      図１
2013246961.tif 000002
【特許請求の範囲】
【請求項１】
照明と、
ユーザが視認する対象部分における光の波長ごとの反射率を計測する反射率計測手段と、
前記反射率計測手段により計測された反射率に基づいて、前記対象部分の反射率を小さくするよう前記照明から照射される光を調光する調光手段と
を備えることを特徴とする照明装置。
【請求項２】
前記反射率計測手段は、前記対象部分に対する背景部分における光の波長ごとの反射率を計測し、
前記調光手段は、前記対象部分の反射率と前記背景部分の反射率とに基づいて、前記対象部分と前記背景部分とのコントラストを大きくするよう調光すること
を特徴とする請求項１に記載の照明装置。
【請求項３】
前記調光手段により調光する前の照度と、前記調光手段により調光した後の照度とを同じにするよう前記調光手段を制御する調光演算手段を備えることを特徴とする請求項１又は請求項２に記載の照明装置。
【請求項４】
ユーザが望む照明光の色を設定する照明色設定手段を備え、
前記調光手段は、前記照明色設定手段により設定された照明光の色となるよう調光すること
を特徴とする請求項１乃至請求項３の何れか一項に記載の照明装置。
【請求項５】
前記反射率計測手段により計測された反射率を記憶する反射率記憶手段を備え、
前記調光手段は、前記反射率記憶手段に記憶された反射率に基づいて調光すること
を特徴とする請求項１乃至請求項４の何れか一項に記載の照明装置。
【請求項６】
ユーザの望む照明光を複数記憶する照明光記憶手段と、
ユーザが選択されたことに応じて、前記照明光記憶手段に記憶された照明光のうち、選択されたユーザの照明光に切り換えるユーザ切替手段とを有し、
前記調光手段は、前記ユーザ切替手段により切り換えられた照明光となるよう調光すること
を特徴とする請求項１乃至請求項５の何れか一項に記載の照明装置。
【発明の詳細な説明】
【技術分野】
【０００１】
本発明は、照明光を発する照明装置に関する。
【背景技術】
【０００２】
受光能力が低下する高齢者用の照明装置としては、例えば、下記の特許文献１がある。この特許文献１には、主成分としての青緑系の光成分と、橙系ないし赤系の光成分とを含み、全体として白色系の発光色を有するＬＥＤ光源が記載されている。
【先行技術文献】
【特許文献】
【０００３】
【特許文献１】特開２００３−２９８１１３号公報
【発明の概要】
【発明が解決しようとする課題】
【０００４】
しかし、上述した特許文献１の照明装置は、全体として白色系の発光色を有する照明光を発し、更に、文字等を読みやすくするためには、照度を上げる必要がある。照度を上げると、文字等のコントラストが高くなるが、文字等を含む領域全体が明るくなってしまう。照明光を発している全体が明るくなると、目への刺激量は増えてしまい、目が疲れやすくなるという問題がある。
【０００５】
そこで、本発明は、上述した実情に鑑みて提案されたものであり、目への負担を増加させることなく、文字等を読みやすくすることができる照明装置を提供することを目的とする。
【課題を解決するための手段】
【０００６】
本発明の第１の態様に係る照明装置は、照明と、ユーザが視認する対象部分における光の波長ごとの反射率を計測する反射率計測手段と、前記反射率計測手段により計測された反射率に基づいて、前記対象部分の反射率を小さくするよう前記照明から照射される光を調光する調光手段とを備えることを特徴とする。
【０００７】
本発明の第２の態様に係る照明装置は、上記第１の態様の照明装置であって、前記反射率計測手段は、前記対象部分に対する背景部分における光の波長ごとの反射率を計測し、前記調光手段は、前記対象部分の反射率と前記背景部分の反射率とに基づいて、前記対象部分と前記背景部分とのコントラストを大きくするよう調光することを特徴とする。
【０００８】
本発明の第３の態様に係る照明装置は、上記第１又は第２態様の照明装置であって、前記調光手段により調光する前の照度と、前記調光手段により調光した後の照度とを同じにするよう前記調光手段を制御する調光演算手段を備えることを特徴とする。
【０００９】
本発明の第４の態様に係る照明装置は、上記第１乃至第３の何れかの態様の照明装置であって、ユーザが望む照明光の色を設定する照明色設定手段を備え、前記調光手段は、前記照明色設定手段により設定された照明光の色となるよう調光することを特徴とする。
【００１０】
本発明の第５の態様に係る照明装置は、上記第１乃至第４の態様の照明装置であって、前記反射率計測手段により計測された反射率を記憶する反射率記憶手段を備え、前記調光手段は、前記反射率記憶手段に記憶された反射率に基づいて調光することを特徴とする。
【００１１】
本発明の第６の態様に係る照明装置は、上記第１乃至第５態様の照明装置であって、ユーザの望む照明光を複数記憶する照明光記憶手段と、ユーザが選択されたことに応じて、前記照明光記憶手段に記憶された照明光のうち、選択されたユーザの照明光に切り換えるユーザ切替手段とを有し、前記調光手段は、前記ユーザ切替手段により切り換えられた照明光となるよう調光することを特徴とする。
【発明の効果】
【００１２】
本発明によれば、対象部分における光の波長ごとの反射率に基づいて、対象部分の反射率を小さくするので、対象部分を黒く見せることができる。したがって、この照明装置によれば、照度を上げて目への負担を増加させることなく、対象部分を読みやすくすることができる。
【図面の簡単な説明】
【００１３】
【図１】本発明の実施形態として示す照明装置の構成を示すブロック図である。
【図２】本発明の実施形態として示す照明装置において、（ａ）は調光前おいて対象物の印刷部分を指定する概念図、（ｂ）は調光後の対象物を示す概念図である。
【図３】本発明の実施形態として示す照明装置における調光動作の手順を示すフローチャートである。
【図４】本発明の実施形態として示す照明装置において、印刷部分の分光反射率の一例を示す図である。
【図５】白く見える部分の分光反射率と黒く見える部分の分光反射率とを示す図である。
【図６】本発明の実施形態として示す照明装置において、（ａ）は緑色の文字の分光反射率、（ｂ）は白色光の強度分布、（ｃ）は緑色の文字に白色光を照射したときの分光反射率、（ｄ）は調光した照明光の強度分布、（ｅ）は調光した照明光を照射したときの文字の分光反射率である。
【図７】本発明の実施形態として示す照明装置の他の構成を示すブロック図である。
【図８】本発明の実施形態として示す照明装置における他の調光動作の手順を示すフローチャートである。
【図９】本発明の実施形態として示す照明装置の他の構成を示すブロック図である。
【図１０】本発明の実施形態として示す照明装置における他の調光動作の手順を示すフローチャートである。
【図１１】（ａ）は青色の文字と黄緑色の背景部分とを含む対象物の分光反射率を示すであり、（ｂ）は調光後における文字からの反射光の分光反射率であり、（ｃ）は調光後における背景からの反射光の分光反射率である。
【図１２】本発明の実施形態として示す照明装置において、調光後における照明光の強度分布を示す図である。
【図１３】本発明の実施形態として示す照明装置において、（ａ）は調光前の見た目であり、（ｂ）は調光後の見た目である。
【図１４】本発明の実施形態として示す照明装置の他の構成を示すブロック図である。
【図１５】本発明の実施形態として示す照明装置における他の調光動作の手順を示すフローチャートである。
【図１６】本発明の実施形態として示す照明装置の他の構成を示すブロック図である。
【図１７】本発明の実施形態として示す照明装置における他の調光動作の手順を示すフローチャートである。
【図１８】本発明の実施形態として示す照明装置の他の構成を示すブロック図である。
【図１９】本発明の実施形態として示す照明装置における他の調光動作の手順を示すフローチャートである。
【発明を実施するための形態】
【００１４】
以下、本発明の実施の形態について図面を参照して説明する。
【００１５】
本発明の実施形態として示す照明装置は、例えば図１に示すように構成される。照明装置は、印刷部分指定部１、分光反射率計測部（反射率計測手段）２、調光部（調光手段）３、及び、照明１０を含む。この照明装置は、例えば書籍等の対象物１００の周辺に照明光を照射するよう配置されている。
【００１６】
照明１０は、任意の光源である。照明１０は、デスクライトであってもよく、シーリングライトであってもよい。また、照明１０は、調光部３によって調光が可能であれば、光源の種類も任意である。照明１０は、例えばＬＥＤ等が使用可能である。
【００１７】
印刷部分指定部１は、ユーザが視認する対象物１００のうちの印刷部分を指定するものである。この印刷部分は、調光によってユーザが見やすくしたい対象部分である。換言すれば、対象部分は、ユーザが見にくい箇所となる。
【００１８】
分光反射率計測部２は、ユーザが視認する対象部分における光の波長ごとの反射率を計測する。分光反射率計測部２は、印刷部分指定部１によって印刷部分が指定されている最中に、検査用の光を照射し、印刷部分から反射した光を受光する。分光反射率計測部２は、反射した光に含まれる波長ごとの反射率を計測する。
【００１９】
印刷部分指定部１及び分光反射率計測部２は、例えば、図２に示すように、ペン型形状を有している。この印刷部分指定部１は、ユーザに把持された状態で、ペン先を対象物１００の文字１０１を指定することによって構成される。分光反射率計測部２は、ペン先が文字１０１に接触している時に、文字１０１の波長ごとの反射率を計測する。
【００２０】
調光部３は、分光反射率計測部２により計測された反射率に基づいて、印刷部分の反射率を小さくするよう照明１０から照射される光を調光する。すなわち、調光部３は、印刷部分が黒くなるように調光する。調光部３は、照明１０から照射する照明光に含まれる波長ごとの強度を変更するよう調光を行う。
【００２１】
これにより、照明装置は、図２（ａ）のような照明状態を、図２（ｂ）のように、文字１０１と背景部分１０２とのコントラストを大きくする。
【００２２】
このような照明装置は、図３に示すような手順により動作する。先ず、ステップＳ１において、ユーザによって印刷部分が指定される。印刷部分が指定されているときに、ステップＳ２において、分光反射率計測部２は、印刷部分の分光反射率の測定を行う。次のステップＳ３において、調光部３は、分光反射率計測部２によって測定された印刷部分の分光反射率に基づいて、印刷部分の分光反射率が低くなるように照明１０を調光する。
【００２３】
例えば、図４に示すような分光反射率が分光反射率計測部２によって計測された場合を考える。この場合、３００ｎｍ〜５００ｎｍの波長領域Ｗａと、６００ｎｍ〜７００ｎｍの波長領域Ｗｂでは、印刷部分における分光反射率が高くなっている。すなわち、青紫〜青の波長領域Ｗａと、赤の波長領域Ｗｂの照明光を照射すると、印刷部分から多くの光が反射する。したがって、調光部３は、分光反射率が低い緑の５００ｎｍ〜６００ｎｍを多く含む照明光を対象物１００に照射するよう調光を行う。これにより、対象物１００の印刷部分から反射する光が少なくなり、見かけ上、印刷部分が黒く視認されることとなる。
【００２４】
この照明装置において、印刷部分を黒く見せるとは、図５に示すように、印刷部分の分光反射率ＲＢが０に近くなるように調光することである。なお、対象物１００を白く見せる場合には、照明光の全波長を均一に反射する分光反射率ＲＷにする。したがって、調光部３は、印刷部分が黒く見えるように分光反射率を小さくするよう調光する。
【００２５】
例えば緑色の文字１０１の場合、図６（ａ）に示すような分光反射率ＲＧが計測できる。この緑色の文字に対して、図６（ｂ）のような強度ＬＷの白色光を照射した場合、図６（ｃ）のような緑色の文字の分光反射率ＲＧが得られる。白色光の分光反射率ＲＷは、全波長領域で均一となり、緑色の文字の分光反射率ＲＧには影響しない。
【００２６】
一方、図６（ｄ）のように、緑の波長領域の強度を低くした調色光を照射した場合、図６（ｅ）に示すように、緑色の文字における分光反射率が０となる。これにより、照明装置は、緑色の文字を黒く見せることができる。
【００２７】
以上のように、この照明装置によれば、文字１０１等の対象部分における光の波長ごとの反射率に基づいて、対象部分の反射率を小さくするので、文字１０１等を黒く見せることができる。したがって、この照明装置によれば、照度を上げて目への負担を増加させることなく、文字等を読みやすくすることができる。
【００２８】
また、読書など、特に文字を読む際、読みやすさに影響する要素として、文字の大きさ、照度、コントラストが挙げられる。既存の技術では、照明によって読みやすくするためには、照度を上げるということが主に考えられていた。これに対し、本実施形態の照明装置は、照度を上げることなく、文字を黒く見せるように調光を行って、印刷部分と背景部分１０２とのコントラストを大きくする。したがって、本実施形態の照明装置によれば、照度を上げるよりも、省エネとなる。
【００２９】
更に、この照明装置によれば、どのような媒体（雑誌、新聞等）であっても、指定した印刷部分が真っ黒になるように調光することで、文字などの印刷部分がくっきりと見やすくなって印刷部分を読みやすくすることができる。
【００３０】
つぎに、上述した照明装置の他の実施形態について説明する。
【００３１】
他の実施形態として示す照明装置は、分光反射率計測部２によって、対象部分に対する背景部分における光の波長ごとの反射率を計測する。この照明装置は、調光部３によって、対象部分の反射率と背景部分の反射率とに基づいて、対象部分と背景部分とのコントラストを大きくするよう調光する。
【００３２】
このような照明装置は、例えば図７に示すように、印刷部分指定部１が、印刷部分指定部１Ａと背景部分指定部１Ｂとを含む。また、分光反射率計測部２は、印刷部分分光反射率計測部２Ａと背景部分分光反射率計測部２Ｂとを含む。
【００３３】
印刷部分指定部１Ａは、対象物１００のうち、文字１０１等の印刷部分を指定する。背景部分指定部１Ｂは、対象物１００のうち、文字１０１等以外の背景部分１０２を指定する。印刷部分分光反射率計測部２Ａは、ユーザが視認する印刷部分における光の波長ごとの反射率を計測する。背景部分分光反射率計測部２Ｂは、文字１０１等以外の背景部分１０２における光の波長ごとの反射率を計測する。
【００３４】
印刷部分指定部１Ａ及び背景部分指定部１Ｂ、印刷部分分光反射率計測部２Ａ及び背景部分分光反射率計測部２Ｂは、上述したペン型形状のもので構成されていてもよい。例えば、先ず、文字１０１を印刷部分指定部１Ａによって指定して印刷部分分光反射率計測部２Ａによって文字１０１の分光反射率を計測する。その後に、背景部分１０２を背景部分指定部１Ｂによって指定して背景部分分光反射率計測部２Ｂによって背景部分１０２の分光反射率を計測する。
【００３５】
調光部３は、印刷部分分光反射率計測部２Ａ及び背景部分分光反射率計測部２Ｂにより計測された文字１０１の反射率と背景部分１０２の反射率とに基づいて、文字１０１と背景部分１０２とのコントラストを大きくするよう調光する。調光部３は、印刷部分の反射率が低下すると共に、背景部分１０２の反射率が維持又は高くなるように調光する。このとき、調光演算部４は、調光の前後において照度が一定となるよう調光部３を制御してもよい。
【００３６】
このような照明装置は、図８に示すように、先ず、ステップＳ１ａにて背景部分指定部１Ｂによって背景部分１０２を指定し、ステップＳ２ａにて背景部分分光反射率計測部２Ｂによって背景部分１０２の分光反射率を計測する。その後、ステップＳ１ｂにて印刷部分指定部１Ａによって文字１０１を指定し、ステップＳ２ｂにて印刷部分分光反射率計測部２Ａによって文字１０１の分光反射率を計測する。その後、調光部３は、文字１０１と背景部分１０２のコントラストが大きくなるよう調光及び調色をする（ステップＳ３）。このとき、調光部３は、調光演算部４の制御によって、調光の前後において照度が一定となるよう調光及び調色をする（ステップＳ４）。
【００３７】
例えば、図９（ａ）のように、分光反射率ＲＢの青色の文字１０１と、分光反射率ＲＹＧの黄緑色の背景部分１０２とを見やすくする場合を考える。この青色の文字１０１は、青色が黒に近い色であるために、反射率が全体的に低くなる。一方、黄緑色の背景部分１０２は、黄緑色が白色に近い淡い色のため、反射率が全体的に高めとなる。
【００３８】
このような文字１０１及び背景部分１０２の対象物１００に対し、照明１０は、調光部３の制御によって、図１０に示すような強度分布の照明光を照射する。この照明光は、緑色の文字が反射する青色の波長領域Ｗａと、黄緑色の背景部分１０２が反射する黄緑色の波長領域Ｗｂの強度を低くしている。青色の波長領域Ｗａは、青色の文字１０１を黒く見せるように青色の波長成分を無くしている。これに対し、黄緑色の波長領域Ｗｂは、背景部分１０２を均一な色にするために、反射率の高い波長成分の強度を抑えるようにしている。すなわち、照明光の黄緑色の波長領域Ｗｂは、図９における背景部分１０２の分光反射率ＲＹＧが高くなっている分だけを抑制するように強度分布が少なくなる。その結果、調光後の文字１０１による反射光の強度分布は、図９（ｂ）に示すように、全体的に低くなる。一方、調光後の背景部分１０２による反射光の強度分布は、図９（ｃ）に示すように、図１０の照明光にない青色の波長領域をのぞき、全体的に反射光の強度分布が均一になっている。
【００３９】
したがって、図１１（ａ）の青色の文字２０１は、図１１（ｂ）のように、見かけ上、黒く見えることになる。図１１（ａ）の黄緑色の背景部分２０２は、図１１（ｂ）のように、見かけ上、グレー色に見えることになる。このような照明装置によれば、文字１０１等の印刷部分の反射率を低くすると共に、背景部分１０２の反射率を均一化することができ、文字１０１と背景部分１０２とのコントラストを大きくできる。これにより、この照明装置によれば、目への負担を増加させることなく、上述した実施形態の照明装置よりも文字等を読みやすくすることができる。
【００４０】
更に他の実施形態として示す照明装置は、例えば図１２に示すように、調光演算部（調光演算手段）４を備えていてもよい。調光演算部４は、調光部３により調光する前の照度と、調光部３により調光した後の照度とを同じにするよう調光部３を制御するものである。
【００４１】
調光演算部４は、例えば図６（ｅ）に示したように調光部３が調光する場合に、図６（ａ）の反射があるときの照明１０の照度を分光反射率計測部２から取得する。調光演算部４は、調光部３によって図６（ｅ）のように調光するときに、調光前の照度から一定となるよう調光部３を制御する。
【００４２】
これにより、照明装置は、調光した後に照度が高くなって目への刺激が多くなることがない。また、照明装置は、調光した後において照度が低くなって違和感を与えることがない。更に、照明装置は、照度を変更することがなく文字等を見やすくでき、調光することによって必要電力が高くなることがない。
【００４３】
なお、ユーザを識別する手段を備え、調光後においては当該識別されたユーザが指定した照度にするよう制御してもよい。また、照度は、ユーザによりシーン（時間帯、作業内容）を選択させ、シーンに応じた照度に設定してもよい。
【００４４】
更に他の実施形態としては、照明装置は、図１４に示すように、ユーザが望む照明光の色を設定する照明色設定部（照明色設定手段）５を備えていてもよい。調光部３は、照明色設定部５により設定された照明光の色となるよう調光する。
【００４５】
照明色設定部５は、例えば、ユーザが操作するダイヤルやボタン等の操作デバイスによって構成される。照明色設定部５は、照明１０から発する照明光の色を、電球色や昼光色になるように設定する。また、照明光の色は、暖色や寒色以外にも、色温度指定、パレットからの入力など好きな色を指定できるようにしてもよい。
【００４６】
調光部３は、照明色設定部５によって照明光の色が設定されたことに応じて、照明１０から発する照明光の色を調整する。また、調光部３は、上述したように、文字１０１等の印刷部分の反射率を低下させ、且つ、照明色設定部５によって設定された照明光の色に近づけるよう調光する。例えば、図６（ｃ）のように照明光が調光された後、白色光に近づけるためには、文字１０１等の印刷部分を見かけ上黒くしたままで、調光部３によって全波長領域が均等となるように調光する。図６（ｃ）のように照明光が調光された後、電球色に近づけるためには、文字１０１等の印刷部分を見かけ上黒くしたままで、調光部３によって赤色の波長領域を大きくするように調光する。
【００４７】
このような照明装置は、図１５に示すように、先ず、ステップＳ１ａにて背景部分指定部１Ｂによって背景部分１０２を指定し、ステップＳ２ａにて背景部分分光反射率計測部２Ｂによって背景部分１０２の分光反射率を計測する。その後、ステップＳ１ｂにて印刷部分指定部１Ａによって文字１０１を指定し、ステップＳ２ｂにて印刷部分分光反射率計測部２Ａによって文字１０１の分光反射率を計測する。更に、ステップＳ１ｃにて照明色設定部５によって、調光後の照明光の色を設定する。その後、調光部３は、文字１０１と背景部分１０２のコントラストが大きくなるよう調光を行い、且つ、ステップＳ１ｃにて設定された照明光の色となるように調色する（ステップＳ３）。更に、調光部３は、調光演算部４の制御によって、調光の前後において照度が一定となるよう調光及び調色をする（ステップＳ４）。
【００４８】
このような照明装置は、上述した実施形態の照明装置のように文字１０１等の印刷部分を見やすくでき、且つ、ユーザの好みの照明光の色に変更できる。また、照明装置によれば、文字１０１等の印刷部分を見やすくしたことによりユーザの好みではない照明光の色となることを抑制できる。
【００４９】
なお、ユーザを識別する手段を備え、調光後においては当該識別されたユーザが指定した照明光の色にするよう制御してもよい。更に、照度は、ユーザによりシーン（時間帯、作業内容）を選択させ、シーンに応じた照明光の色に設定してもよい。
【００５０】
更に他の実施形態として示す照明装置は、図１６に示すように、分光反射率計測部２により計測した分光反射率を記録する分光反射率記憶部（分光反射率記憶手段）６を備えていてもよい。この照明装置は、調光部３によって、分光反射率記憶部６に記憶された反射率に基づいて調光する。
【００５１】
分光反射率記憶部６には、分光反射率計測部２により計測した分光反射率、印刷部分分光反射率計測部２Ａ及び背景部分分光反射率計測部２Ｂにより計測した２つ以上の分光反射率組、などが記憶可能である。分光反射率記憶部６は、例えば、対象物１００としての紙の質（上質紙、新聞紙、雑誌）ごとに分光反射率を記憶し、ユーザによって選択可能にしてもよい。
【００５２】
更に、分光反射率記憶部６には、上述したように文字１０１等の印刷部分を見かけ上黒くする照明光の波長に応じた強度分布を記憶してもよい。更に、分光反射率記憶部６には、上述したように文字１０１等の印刷部分と背景部分１０２とのコントラストが大きくなる照明光の波長に応じた強度分布を記憶してもよい。更に、分光反射率記憶部６には、ユーザの好みの照度、照明光の色を実現する照明光の波長に応じた強度分布を記憶してもよい。
【００５３】
更に、分光反射率記憶部６には、ユーザにより設定された照度や照明光の色に加えて、照明装置の出荷時のプリセット情報を記憶していてもよい。更に、分光反射率記憶部６には、複数のユーザが照明装置を利用する場合のユーザ名、複数のシーン（読書、手芸勉強など）、時間帯（朝、昼、夕方など）に対応して、照度や照明光の色を記憶していてもよい。更に、分光反射率記憶部６は、ユーザ名、シーン、時刻を組み合わせた条件に対応して、照度や照明光の色を記憶していてもよい。
【００５４】
このような照明装置は、図１７に示すように、上述したように、ステップＳ１ａ、Ｓ１ｂ、Ｓ１ｃ、ステップＳ２ａ、Ｓ２ｂ、及びステップＳ４が行われた後に、分光反射率記憶部６によって、その結果を記憶する。このステップＳ５において、分光反射率記憶部６は、ステップＳ２ａ、Ｓ２ｂにより計測された印刷部分の分光反射率及び背景部分１０２の分光反射率を記憶する。
【００５５】
このような照明装置によれば、以前に計測した分光反射率を記憶しておくことにより、照明装置を利用する度に分光反射率の計測を行う手間を省くことができる。したがって、この照明装置によれば、簡単な作業のみで、文字１０１等の印刷部分を見やすくすることができる。
【００５６】
更に他の実施形態として示す照明装置は、ユーザが選択されたことに応じて、分光反射率記憶部６に記憶された照明光のうち、選択されたユーザの照明光に切り換えるユーザ切替部（ユーザ切替手段）７を有していてもよい。ユーザ切替部７は、ユーザを識別する構成を含む。ユーザ切替部７は、例えばユーザによるスイッチ操作などによってユーザを識別する。この照明装置は、ユーザの望む照明光を複数記憶する照明光記憶手段として、分光反射率記憶部６を備える。分光反射率記憶部６は、上述したように、複数のユーザが照明装置を利用する場合のユーザ名に応じた照度や照明光の色を記憶している。
【００５７】
調光部３は、ユーザ切替部７によってユーザが切り換えられたときに、分光反射率記憶部６に記憶されたユーザ名に対応して照明光の波長に応じた強度分布を読み出す。これにより、調光部３は、文字１０１等の印刷部分をユーザの好みに応じた反射率とすることができる。更に、調光部３は、文字１０１等の印刷部分と背景部分１０２とのコントラストを、ユーザの好みに応じたものとすることができる。
【００５８】
更に、調光部３は、ユーザの好みに応じた文字１０１等の印刷部分及び背景部分１０２の反射率に加え、ユーザの切替に応じて照度や照明光の色を切り換えてもよい。
【００５９】
このような照明装置は、図１９に示すように、上述したように、ステップＳ１ａ、Ｓ１ｂ、Ｓ１ｃ、ステップＳ２ａ、Ｓ２ｂ、及びステップＳ４が行われた後に、分光反射率記憶部６によって、その結果を記憶する。このステップＳ５において、分光反射率記憶部６は、ステップＳ２ａ、Ｓ２ｂにより計測された印刷部分の分光反射率及び背景部分１０２の分光反射率を記憶する。更に、ステップＳ５において、分光反射率記憶部６は、ステップＳ４にて演算された照度を記憶してもよい。更に、ステップＳ５において、分光反射率記憶部６は、ステップＳ１ｃにて設定された照明光の色を記憶してもよい。
【００６０】
このような照明装置によれば、ユーザごとに、分光反射率、コントラスト、照度、照明光の色を記憶しておく。ユーザ切替部７は、ユーザを切り換えることによって、調光部３による分光反射率、コントラストをユーザの好みに切り換えて、文字１０１等の印刷部分をユーザの好みの見えやすさの反射率にすることができる。
【００６１】
更に、この照明装置によれば、ユーザごとの分光反射率やコントラストを、照度、照明光の色、シーン、時間帯、作業内容に対応づけることができる。したがって、この照明装置によれば、ユーザを選択するのみで、頻度の高い作業や、時間帯に応じた作業内容など予測して提示することもできる。
【００６２】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００６３】
１  印刷部分指定部
１Ａ  印刷部分指定部
１Ｂ  背景部分指定部
２  分光反射率計測部（反射率計測手段）
２Ａ  印刷部分分光反射率計測部
２Ｂ  背景部分分光反射率計測部
３  調光部（調光手段）
４  調光演算部（調光演算手段）
５  照明色設定部（照明色設定手段）
６  分光反射率記憶部（分光反射率記憶手段）
７  ユーザ切替部
１０  照明
【図１】
2013246961.tif 000003
【図２】
2013246961.tif 000004
【図３】
2013246961.tif 000005
【図４】
2013246961.tif 000006
【図５】
2013246961.tif 000007
【図６】
2013246961.tif 000008
【図７】
2013246961.tif 000009
【図８】
2013246961.tif 000010
【図９】
2013246961.tif 000011
【図１０】
2013246961.tif 000012
【図１１】
2013246961.tif 000013
【図１２】
2013246961.tif 000014
【図１３】
2013246961.tif 000015
【図１４】
2013246961.tif 000016
【図１５】
2013246961.tif 000017
【図１６】
2013246961.tif 000018
【図１７】
2013246961.tif 000019
【図１８】
2013246961.tif 000020
【図１９】
2013246961.tif 000021